(57)【要約】【課題】アルミ芯線に対する防食性を有するワイヤーハーネスの端末構造を比較的安価に得る。【解決手段】アルミ芯線２０の露出芯線部分２０ｅにて被覆電線５と端子金具１とが電気的に接続されるように、被覆電線５に端子金具１を固定する。その後、分離被覆部分２１ｔを露出芯線部分２０ｅ側に折り曲げて、露出芯線部分２０ｅの上方に分離被覆部分２１ｔを配置する。最後に、分離被覆部分２１ｔに対して超音波溶着処理を実行する。その結果、溶解した分離被覆部分２１ｔが変形することにより、露出芯線部分２０ｅ全体を覆った防食部３が形成される。【選択図】図２
2013219877.tif 000002
【特許請求の範囲】
【請求項１】
アルミ芯線を被覆部により被覆してなる被覆電線を備え、前記被覆電線はその先端部分において前記被覆部による被覆がなされていない露出芯線部分を有し、
前記露出芯線部分にて電気的接続関係が得られるように、前記被覆電線に固定される端子金具と、
防食性を有する所定の材質により構成され、前記露出芯線部分を覆って形成される防食部とを備え、
前記被覆部は、少なくとも前記防食部の近傍領域において前記所定の材質で形成されることを特徴する、
ワイヤーハーネスの端末構造。
【請求項２】
(a) アルミ芯線を被覆部により被覆してなる被覆電線を準備するステップと、
(b) 前記被覆部の先端部を剥いで得られる分離被覆部分を先端方向にずらすことにより、前記アルミ芯線の先端部分を露出させて露出芯線部分を得るステップとを備え、前記分離被覆部分は防食性を有する所定の材質により構成され、
(c) 前記露出芯線部分にて電気的接続関係が得られるように、前記被覆電線に端子金具を固定するステップと、
(d) 前記分離被覆部分を前記露出芯線部分側に折り曲げ、前記露出芯線部分上に配置するステップと、
(e) 前記分離被覆部分に対し溶着処理を実行して前記露出芯線部分を覆う防食部を形成するステップとを備える、
ワイヤーハーネスの端末構造の製造方法。
【発明の詳細な説明】
【技術分野】
【０００１】
この発明は、車載用のワイヤーハーネスの端末構造及びその製造方法に関する。
【背景技術】
【０００２】
車載用のワイヤーハーネスの端末構造において、電気伝導性に優れた銅系材料からなる芯線を有する銅電線（銅芯線）が信号線、電力線として使用されてきた。車載される各種電気機器、制御機器等の増加に伴って使用される銅電線も増加する傾向にあるのが現状である。このような状況下で車両の軽量化により燃費効率を向上させようとする場合、銅電線と比較してより軽量で安価なアルミニウム電線（以下、「アルミ電線（芯線）」と略記）が自動車分野において特に注目されている。
【０００３】
一方、ワイヤーハーネスの端末に固定される端子金具は、電気特性の優れた銅または銅合金が一般に用いられる。
【０００４】
このため、ワイヤーハーネス用にアルミ電線（芯線）を使用した場合、アルミ電線を端子金具に固定した場合、アルミ電線−銅端子（金具）の組合せとなり異種金属接触腐食などの電食が生じる。すなわち、アルミニウムは水および銅イオンの存在下では、通常の電食を超える激しい腐食を受ける。
【０００５】
このように、アルミ電線−銅端子の組合せは、銅電線−銅端子の組合せに比べ、腐食による錆の発生度合が高くなってしまう問題点があった。
【０００６】
この問題点を解決すべく、特許文献１や特許文献２ではアルミ電線−銅端子の接続部分を防食性を有する樹脂材で覆って防食部を形成することにより防食処理を施していた。
【先行技術文献】
【特許文献】
【０００７】
【特許文献１】特開２０１１−１８４８９号公報
【特許文献２】特開２００１−１６２６５７号公報
【発明の概要】
【発明が解決しようとする課題】
【０００８】
このように、アルミ電線（芯線）を利用した従来のワイヤーハーネスの端末構造は、アルミ電線（芯線）と銅端子との接続部分に防食部を設ける必要があるため、防食部形成用の部材を別途必要とする分、製造コストの増大を招くという問題点があった。
【０００９】
この発明は上記問題点を解決するためになされたもので、アルミ芯線に対する防食性を有するワイヤーハーネスの端末構造を比較的安価に得ることを目的とする。
【課題を解決するための手段】
【００１０】
この発明に係る請求項１記載のワイヤーハーネスの端末構造は、アルミ芯線を被覆部により被覆してなる被覆電線を備え、前記被覆電線はその先端部分において前記被覆部による被覆がなされていない露出芯線部分を有し、前記露出芯線部分にて電気的接続関係が得られるように、前記被覆電線に固定される端子金具と、防食性を有する所定の材質により構成され、前記露出芯線部分を覆って形成される防食部とを備え、前記被覆部は、少なくとも前記防食部の近傍領域において前記所定の材質で形成されることを特徴する。
【００１１】
この発明に係る請求項２記載のワイヤーハーネスの端末構造の製造方法は、(a) アルミ芯線を被覆部により被覆してなる被覆電線を準備するステップと、(b) 前記被覆部の先端部を剥いで得られる分離被覆部分を先端方向にずらすことにより、前記アルミ芯線の先端部分を露出させて露出芯線部分を得るステップとを備え、前記分離被覆部分は防食性を有する所定の材質により構成され、(c) 前記露出芯線部分にて電気的接続関係が得られるように、前記被覆電線に端子金具を固定するステップと、(d) 前記分離被覆部分を前記露出芯線部分側に折り曲げ、前記露出芯線部分上に配置するステップと、(e) 前記分離被覆部分に対し溶着処理を実行して前記露出芯線部分を覆う防食部を形成するステップとを備える。
【発明の効果】
【００１２】
請求項１記載の本願発明は、端子金具と被覆電線との接続部分を有する露出芯線部分を防食部によって覆うことにより、露出芯線部分におけるアルミ芯線の腐食を防止することができる。
【００１３】
加えて、請求項１記載の本願発明において、被覆部における少なくとも防食部の近傍領域は防食部と同一材質（所定の材質）で形成されているため、被覆部の一部を防食部形成用部材として用いることにより防食部用の部材を別途必要とせずに防食部を形成することができる。その結果、アルミ芯線を腐食から保護するワイヤーハーネスの端末構造を比較的安価に得ることができる効果を奏する。
【００１４】
請求項２記載の本願発明の製造方法において、ステップ(a) 〜(d) を経て、ステップ(e) にて最終的に得られる防食部は、被覆部の先端部を剥いで得られる分離被覆部分に対して溶着処理を実行することにより形成されている。
【００１５】
したがって、請求項２記載の本願発明である製造方法は、被覆部の一部を、露出芯線部分用の防食部として用いることにより、防食部形成用の部材を別途必要としない分、安価にワイヤーハーネスの端末構造を製造することができる効果を奏する。
【図面の簡単な説明】
【００１６】
【図１】被覆電線における被覆部の皮剥工程を示す説明図である。
【図２】本実施の形態のワイヤーハーネスの端末構造の製造方法を示す説明図である。
【発明を実施するための形態】
【００１７】
図１はこの発明の実施の形態であるのワイヤーハーネスの端末構造における被覆電線５に対する皮剥工程を示す説明図である。
【００１８】
同図(a) に示すように、複数のアルミ素線２からなるアルミ芯線２０を被覆部２１より被覆してなる被覆電線５が準備される。被覆部２１は防食性を有するＰＶＣ（polyvinyl chloride），ポリエチレン等の材質（所定の材質）により構成される。
【００１９】
そして、同図(b) に示すように、被覆部２１の先端部を剥いで被覆主要部分２１ｍから分離被覆部分２１ｔを分離し、分離被覆部分２１ｔを先端方向（図中左方向）にずらすことにより、アルミ芯線２０（複数のアルミ素線２）の先端部分を露出させて露出芯線部分２０ｅを得る。なお、分離被覆部分２１ｔはその一部によってアルミ芯線２０の最先端部を覆うことにより、アルミ芯線２０から完全に分離されることなくアルミ芯線２０との接続関係は保たれている。
【００２０】
このように、被覆電線５の皮剥工程により、被覆電線５はその先端部分において被覆部２１による被覆がなされていない露出芯線部分２０ｅを有する。
【００２１】
図２は本実施の形態のワイヤーハーネスの端末構造の製造方法を示す断面図である。以下、図２を参照して、ワイヤーハーネスの端末構造の製造工程を説明する。
【００２２】
図２に示すように、銅製の端子金具１は本体部１１と圧着部１２とから構成され、圧着部１２は先端部及び中央部分に第１圧着片１２ａ及び第２圧着片１２ｂをそれぞれ有している。
【００２３】
まず、同図(a) に示すように、端子金具１の第１圧着片１２ａを被覆部２１の被覆主要部分２１ｍの外周に沿ってかしめ加工するとともに、第２圧着片１２ｂを露出芯線部分２０ｅの外周にそってカシメ加工することにより、被覆電線５に端子金具１を圧着固定する。この際、露出芯線部分２０ｅにて被覆電線５と端子金具１とが電気的に接続される。
【００２４】
その後、同図(b) に示すように、分離被覆部分２１ｔを露出芯線部分２０ｅ側に折り曲げて、露出芯線部分２０ｅ及びかしめられた後の第２圧着片１２ｂの上方に分離被覆部分２１ｔを配置する。
【００２５】
最後に、同図(c) に示すように、分離被覆部分２１ｔに対して超音波溶着処理を実行する。その結果、溶解した分離被覆部分２１ｔが変形することにより、露出芯線部分２０ｅ全体を覆った防食部３が形成される。
【００２６】
このように、図１及び図２で示した工程を経て、本実施の形態のワイヤーハーネスの端末構造を得ることができる。
【００２７】
本実施の形態のワイヤーハーネスの端末構造は図２(c) に示すように、防食性を有する溶解後の分離被覆部分２１ｔにより、被覆電線５の先端部分における露出芯線部分２０ｅを覆った防食部３を有している。
【００２８】
本実施の形態は、上述したように、端子金具１と被覆電線５との接続部分を有する露出芯線部分２０ｅを防食部３によって覆うことにより、露出芯線部分２０ｅにおける複数のアルミ素線２の腐食を防止することができる。
【００２９】
加えて、本実施の形態のワイヤーハーネスの端末構造は、被覆部２１と防食部３（分離被覆部分２１ｔ）とは同一材質で形成されているため、上述した製造方法を実行することにより、被覆部２１の一部（分離被覆部分２１ｔ）を防食部形成用部材として用いて防食部３を得ることができる。
【００３０】
すなわち、本実施の形態のワイヤーハーネスの端末構造の製造方法において、図２(c) にて最終的に得られる防食部３を、被覆部２１の先端部を剥いで得られる分離被覆部分２１ｔに対して超音波溶着処理を実行することにより形成することができる。
【００３１】
その結果、防食部用の部材を別途必要とせずに防食部３を形成することができる分、安価にワイヤーハーネスの端末構造を得ることができる効果を奏する。
【００３２】
なお、本実施の形態では、被覆部２１は全て防食性を有する材質で形成した例を示したが、被覆部２１の先端部分（分離被覆部分２１ｔとなる部分及びその近傍領域）が防食性を有する材質で形成されておれば、上述した本実施の形態の効果を発揮することができる。
【００３３】
また、超音波溶着に代えて加圧溶着（溶接）を用いる等の態様も考えられる。すなわち、分離被覆部分２１ｔを溶解させ変形させることにより露出芯線部分２０ｅを覆う防食部３を形成可能な熱処理等であれば超音波溶着に代えて用いることができる。
【００３４】
なお、本発明は、その発明の範囲内において、実施の形態を適宜、変形、省略することが可能である。
【符号の説明】
【００３５】
１  端子金具
２  アルミ素線
３  防食部
５  被覆電線
１２ａ，１２ｂ  第１，第２圧着片
２０  アルミ芯線
２０ｅ  露出芯線部分
２１  被覆部
２１ｔ  分離被覆部分
【図１】
2013219877.tif 000003
【図２】
2013219877.tif 000004